(57)【要約】【課題】臀部全体を覆う従来型の生理用ショーツでは出血部とナプキンには隙間が生じる。特に体を横たえた時には、経血は皮膚を伝って下方（仰臥時には尾骨方向）に流下する。よって経血は適正にナプキンに吸収される機会を得ず、その範囲を越えてショーツや寝具に漏れ出す。【解決手段】従来型生理用ショーツの外側に、後身頃が略Ｔ字状、且つ前身頃が逆三角形状となされたショーツ（Ｔバックショーツ）をサポーターとして重ね、両者を両脇部のみで縫合する。このように生理用ショーツを二枚重ねとすることで、出血部及び臀部谷部とナプキンを密着させ、就寝時でも出血の瞬間に経血を吸収し、漏出を防ぐ。【選択図】図１
2005270348.tif 000002
【特許請求の範囲】
【請求項１】
従来型生理用ショーツ（２）の外側に、後身頃（１１）が略Ｔ字状、且つ前身頃（１２）が逆三角形状となされたＴバックショーツ（１）を重ね、これら従来型生理用ショーツ（２）とＴバックショーツ（１）とが両脇部（３、３）のみで縫合された、二枚重ねとなっていることを特徴とする就寝時用生理用ショーツ。
【請求項２】
前記Ｔバックショーツ（１）に用いる素材は縦方向の弾性係数が幅方向の弾性係数より大きいことを特徴とする、請求項１記載の就寝時用生理用ショーツ。
【請求項３】
内側の従来型生理用ショーツ（２）に用いる素材は、外側の前記Ｔバックショーツ（１）に用いる素材に比べて縦方向および横方向の弾性係数が小さい伸縮性素材で形成されていることを特徴とする請求項１または２記載の就寝時用生理用ショーツ。
【発明の詳細な説明】
【技術分野】
【０００１】
本発明は、就寝時用生理用ショーツの形状に関するものである。
【背景技術】
【０００２】
従来型の生理用ショーツは、一般のショーツと同様臀部全体を覆う形状で、伸縮性の高い生地を用いることによって密着性を高めたものである。
【０００３】
しかしながら、臀部は山部と谷部の高低差が大きく、ナプキンは粘着テープでショーツに貼り付けるのであるから、臀部全体を被う従来技術によれば、ナプキンと谷部の皮膚の密着度は低く、図４に示すように隙間（５）が生じる。特に体を横たえた時には、図６に示すように、経血はその隙間を、谷部の皮膚（６）を伝って下方（仰臥時には尾骨（９）方向）に流下する（８）。よって経血は適正にナプキンに吸収される機会を得ず、その範囲を越えてショーツや寝具に漏れ出すことが多かった。
【０００４】
この改善策として、従来型生理用ショーツの生地を股下部と胴回り部に分け、股下部の素材は伸縮性をより高めたものとし、両者を一枚のショーツにはぎ合わせるという方法がある。しかしながらこの方法では、股下部の生地の上向きの働きと、胴回り部の生地の左右方向への働きが相殺し合って、十分な密着効果が得られない。
【特許文献１】特開２００１―２７６１２９号広報
【発明の開示】
【発明が解決しようとする課題】
【０００５】
解決しようとする問題点は、就寝時において、ナプキンと臀部谷部の皮膚との間に生じた隙間を、谷部の皮膚を伝って経血が流下し、ナプキンの範囲を越えてショーツや寝具に漏れ出すことが多いという点である。
【０００６】
では仮に、図７に示すように、臀部の谷部に沿うように、後身頃が縦帯状となったショーツ（Ｔバックショーツ）を着用すると、密着度については解決する。しかし反面、帯に沿ってナプキンがよじれ（４）、接着面が狭まり安定した吸収ができないという問題点が生じる。
【課題を解決するための手段】
【０００７】
以上の課題を解決するために、請求項１記載の発明は、従来型生理用ショーツ（２）の外側に、後身頃（１１）が略Ｔ字状で、且つ前身頃（１２）が逆三角形状となされたＴバックショーツ（１）を重ね、これら従来型生理用ショーツ（２）とＴバックショーツ（１）とが両脇部（３、３）のみで縫合された、二枚重ねとなっていることを特徴とする就寝時用生理用ショーツである。
【０００８】
請求項２記載の発明は、前記Ｔバックショーツ（１）に用いる素材は縦方向の弾性係数が幅方向の弾性係数より大きいことを特徴とする、請求項１記載の就寝時用生理用ショーツである。
【０００９】
請求項３記載の発明は、内側の従来型生理用ショーツ（２）に用いる素材は、外側の前記Ｔバックショーツ（１）に用いる素材に比べて縦方向および横方向の弾性係数が小さい伸縮性素材で形成されていることを特徴とする、請求項１または２記載の就寝時用生理用ショーツである。
【発明の効果】
【００１０】
以上説明したようにこの発明によれば、出血部及び流路（臀部谷部）とナプキンがどのような体勢でも常に密着するので、就寝時でも経血の漏出を防ぐ。
【００１１】
またＴバックショーツを単独で使用するのでなく、従来型生理用ショーツのサポーターとして外側に用いるので、ナプキンは広がったままで、よじれることがない。
【００１２】
就寝時用ということで、後方を長く幅広くしたナプキンや、経血が隙間を流下するのを堰き止めるための突起が設けられたナプキン、ショーツ全体をナプキンで作った使い捨てショーツなど、様々な工夫を凝らした専用ナプキンが開発、販売されているが、この発明では、ナプキンでなくショーツの形状に着目するのであって、ごく一般的なナプキンで常に目的を果たすので、手軽で経済的である。
【００１３】
以上のように様々に工夫を凝らしたナプキンであっても、体勢によってはその機能が発揮できない。たとえば、仰臥時はよくてもうつ伏せ時には前方に漏れ出すという具合である。反面この発明ではどんな体勢でも常に効果が得られる。
【発明を実施するための最良の形態】
【００１４】
以下、本発明就寝時用生理用ショーツの実施の一例について図面を参照して説明する。
ナプキンと本発明生理用ショーツを装着した場合、図３に示すとおり、ナプキン４は内側の従来型生理用ショーツ２に貼り付けることにより横方向に広げられた状態を保ちつつ、外側のＴバックショーツ１により上方向に引き上げられて、図４の５に示す隙間がなくなり、ナプキンと出血部は密着する。また、図７に示すとおり、Ｔバックショーツ１をショーツとして単独で装着した場合に生じるナプキン４のよじれも防止し、広い面での安定した吸収ができる。仰臥時においては、図５に示すとおり、ナプキン４と出血部および谷部の皮膚６が密着するので、図６の５に示す隙間が解消され、８に示す流路で経血が漏れ出すことがない。
【実施例】
【００１５】
図１は本発明の一実施例であって、背面図である。
【００１６】
１はＴバックショーツ、２は従来型生理用ショーツ、３は以上２点の縫合部である。
【００１７】
内側の従来型生理用ショーツの股下の幅は９ｃｍ程度とし、外側のＴバックショーツの股下の幅は３ｃｍ程度とする。
【図面の簡単な説明】
【００１８】
【図１】本発明生理用ショーツの背面図である。（実施例）
【図２】本発明生理用ショーツの正面図である。
【図３】本発明生理用ショーツをナプキンと共に装着した背面図である。
【図４】従来型生理用ショーツをナプキンと共に装着した背面図である。
【図５】本発明生理用ショーツをナプキンと共に装着した仰臥時の側面図である。
【図６】従来型生理用ショーツをナプキンと共に装着した仰臥時の側面図である。
【図７】Ｔバックショーツをナプキンと共に装着した背面図である。
【符号の説明】
【００１９】
１  Ｔバックショーツ
１１  後身頃
１２  前身頃
２  従来型生理用ショーツ
３  縫合部
４  ナプキン
５  隙間
６  谷部の皮膚
７  山部の皮膚
８  経血の流路
９  尾骨
【図１】
2005270348.tif 000003
【図２】
2005270348.tif 000004
【図３】
2005270348.tif 000005
【図４】
2005270348.tif 000006
【図５】
2005270348.tif 000007
【図６】
2005270348.tif 000008
【図７】
2005270348.tif 000009